(57)【要約】【課題】視差を利用した立体映像について左右の映像の画質バランスがとれた映像を再生可能な再生装置を提供する。【解決手段】左目用映像データと右目用映像データとを含む立体映像信号から左目用映像データと右目用映像データとを分離するマルチプレクサ２０１と、左目用映像データをデコードして左目用映像信号を出力し、右目用映像データをデコードして右目用映像信号を出力するｂａｓｅ用デコーダ２０２、ｅｘｔ用デコーダ２０３と、左目用映像信号が示す映像の画質の調整を行うｂａｓｅ用画質調整部２０４と、右目用映像信号が示す映像の画質の調整を行うｅｘｔ用画質調整部２０５とを備え、ｂａｓｅ用画質調整部２０４で実行される左目用映像信号が示す映像の画質の調整と、ｅｘｔ用調整部２０５で実行される右目用映像信号が示す映像の画質の調整とは、それぞれ独立に調整される。【選択図】図２
2011199853.tif 000002
【特許請求の範囲】
【請求項１】
左目用映像データと右目用映像データとを含む立体映像信号から左目用映像データと右目用映像データとを分離する分離手段と、
左目用映像データをデコードして左目用映像信号を出力し、右目用映像データをデコードして右目用映像信号を出力するデコーダと、
左目用映像信号が示す映像の画質の調整を行う第１の画質調整手段と、
右目用映像信号が示す映像の画質の調整を行う第２の画質調整手段とを備え、
前記第１の画質調整手段で実行される前記左目用映像信号が示す映像の画質の調整と、前記第２の画質調整手段で実行される前記右目用映像信号が示す映像の画質の調整とは、それぞれ独立に調整されることを特徴とする、再生装置。
【請求項２】
前記第１の画質調整手段及び前記第２の画質調整手段は、左目用映像信号が示す映像の画質と右目用映像信号が示す映像の画質とが同じになるように画質の調整を行う、請求項１記載の再生装置。
【請求項３】
前記立体映像信号の左目用映像データと右目用映像データとのうちのいずれか一方の映像データは、基本映像を符号化した基本映像符号化データであり、他方の映像データは、左目用映像と右目用映像の差分情報が符号化された拡張映像符号化データである、請求項１記載の再生装置。
【請求項４】
前記第１の画質調整手段及び前記第２の画質調整手段はそれぞれ、映像信号のノイズを除去する手段を備え、前記拡張映像データをデコードした映像信号のノイズ除去強度を前記基本映像データをデコードした映像信号のノイズ除去強度よりも強くすることを特徴とする、請求項３記載の再生装置。
【請求項５】
前記第１の画質調整手段もしくは前記第２の画質調整手段が前記基本映像符号化データをデコードした映像信号が示す映像の画質の調整をする場合の画質調整と、
前記第１の画質調整手段もしくは前記第２の画質調整手段が２次元映像信号が示す映像の画質の調整をする場合の画質調整とは、同一の画質調整である、請求項３記載の再生装置。
【請求項６】
前記立体映像信号がサイドバイサイド方式またはトップアンドボトム方式の映像の信号である場合、左目用映像信号が示す映像及び右目用映像信号が示す映像の両方に対して、前記第１の画質調整手段と前記第２の画質調整手段とのいずれか一方により、同一の画質調整を行う請求項１記載の再生装置。
【発明の詳細な説明】
【技術分野】
【０００１】
本発明は、立体映像を再生する装置に関する。
【背景技術】
【０００２】
立体映像は、視差をもたせて撮影した左目用の映像と右目用の映像により構成されており、左目用の映像を左目でのみ視て、右目用の映像を右目でのみ視ることで、立体的に感じられるようになっている。
【０００３】
このような立体映像の映像信号を効率的に圧縮符号化する方法として、ＭＰＥＧ４−ＡＶＣ符号化方式を拡張したＭＰＥＧ４−ＭＶＣ（Multiview Video Coding）符号化方式がある（非特許文献１参照）。この方式では左右の映像のうち一方を基本映像とし、他方を拡張映像と定義している。基本映像は通常の２次元映像と同じくＭＰＥＧ４−ＡＶＣ符号化方式によって圧縮符号化されており、拡張映像は基本映像との差分情報を符号化することで効率的に圧縮符号化される。基本映像を圧縮符号化した基本映像符号化データはデコードすることで２次元映像信号として出力することができる。そのため、基本映像は立体映像の再生に対応していない再生装置であっても２次元映像として再生することが可能である。
【０００４】
ＭＰＥＧ４−ＭＶＣ符号化方式で圧縮された基本映像、および拡張映像の符号化データはＭＰＥＧ２トランスポートストリームとしてパケット化され、多重化され、伝送あるいは記録される（非特許文献２参照）。基本映像と拡張映像の各パケットは異なる識別信号（ＰＩＤ）を付与することで、再生時にそれぞれを分離することができる。
【先行技術文献】
【非特許文献】
【０００５】
【非特許文献１】ＩＳＯ／ＩＥＣ  １４４９６−１０（ＭＰＥＧ４−ＡＶＣ）
【非特許文献２】ＩＳＯ／ＩＥＣ  １３８１８−１（ＭＰＥＧ２システム）
【発明の概要】
【発明が解決しようとする課題】
【０００６】
ＭＰＥＧ４−ＭＶＣ符号化方式などのように左右で異なる映像信号処理を行う場合、圧縮符号化によって発生した符号化歪みが左右の映像で異なり、左右の映像間の画質差が顕著になる。立体映像の左右の映像間の画質差が大きいと立体視の妨げになることがある。
【０００７】
本発明は、このような課題に鑑み、視差を利用した立体映像について左右の映像の画質バランスがとれた映像を再生可能な再生装置を提供することを目的とする。
【課題を解決するための手段】
【０００８】
本発明に係る再生装置は、左目用映像データと右目用映像データとを含む立体映像信号から左目用映像データと右目用映像データとを分離する分離手段と、左目用映像データをデコードして左目用映像信号を出力し、右目用映像データをデコードして右目用映像信号を出力するデコーダと、左目用映像信号が示す映像の画質の調整を行う第１の画質調整手段と、右目用映像信号が示す映像の画質の調整を行う第２の画質調整手段とを備え、第１の画質調整手段で実行される左目用映像信号が示す映像の画質の調整と、第２の画質調整手段で実行される右目用映像信号が示す映像の画質の調整とは、それぞれ独立に調整される。
【発明の効果】
【０００９】
本発明に係る再生装置によれば、第１の画質調整手段と第２の画質調整手段により、左目用映像信号が示す映像及び右目用映像信号が示す映像に対してそれぞれ独立して画質の調整を行うことができる。例えば、左右の一方の映像についてノイズが多い場合、ノイズが多い方の映像についてノイズ除去処理を強くおこなうことにより、他方の画像との画質をそろえることができる。このように、本態様によれば、左目用映像と右目用映像との間に画質差の少ない立体映像を再生することが可能となる。
【図面の簡単な説明】
【００１０】
【図１】実施の形態１の再生装置を説明するためのブロック図
【図２】実施の形態１の再生装置の信号処理部を説明するためのブロック図
【図３】実施の形態１の再生装置の画質調整部を説明するためのブロック図
【発明を実施するための形態】
【００１１】
（実施の形態１）
以下、実施の形態について説明する。
【００１２】
図１は実施の形態１の再生装置を説明するためのブロック図である。以下では、再生装置として、ＭＰＥＧ４−ＭＶＣ符号化方式で圧縮符号化された立体映像データが記録された記録メディアを再生する装置について説明する。
【００１３】
なお、ＭＰＥＧ４−ＭＶＣ符号化方式における立体映像データは、基本映像符号化データと、拡張映像符号化データを含む。基本映像符号化データは、ＭＰＥＧ４−ＡＶＣ符号化方式と同様の方式によって圧縮符号化されたデータであり、左目用映像と右目用映像とのいずれか一方に関するデータである。拡張映像符号化データは、左目用映像と右目用映像の差分情報を圧縮符号化することにより生成されたデータであり、左目用映像と右目用映像との他方に関するデータである。基本映像符号化データ及び拡張映像符号化データを構成する各パケットには、これらのパケットが基本映像符号化データと拡張映像符号化データとのいずれに対応するものかを識別するための識別信号（ＰＩＤ）が付与されている。
【００１４】
再生装置１００は、ディスクドライブ部１０２、信号処理部１０３、リモコン信号受信部１０４、及びＨＤＭＩ出力部１０５を含み、ディスク１０１に記録された立体映像信号を再生する。ディスクドライブ部１０２は、装填されたディスク１０１に記録されたデータを読み取る。信号処理部１０３は、ディスク１０１から読み取られたデータをデコードして左目用映像信号及び右目用映像信号を生成し、それぞれの映像信号が示す映像の画質調整処理を行う。ＨＤＭＩ出力部１０５は、信号処理部１０３から出力された左目用映像信号及び右目用映像信号をＨＤＭＩなどデジタルインターフェースにより出力する。リモコン信号受信部１０４は、ユーザー操作によってリモコンから出力されたコマンドを受信し、このコマンドを信号処理部１０３に出力する。以下、信号処理部１０３について詳細に説明する。
【００１５】
図２は信号処理部１０３の構成を説明したブロック図である。信号処理部１０３は、デマルチプレクサ２０１、ｂａｓｅ用デコーダ２０２、ｅｘｔ用デコーダ２０３、ｂａｓｅ用画質調整部２０４、ｅｘｔ用画質調整部２０５、設定値記憶部２０６、左右選択部２０７、及びＣＰＵ２０８を含む。
【００１６】
ディスクドライブ部１０２においてディスク１０１から読み取られたデータはデマルチプレクサ２０１に入力される。デマルチプレクサ２０１は、識別信号（ＰＩＤ）に従って、立体映像データを、基本映像符号化データと拡張映像符号化データとに分離する。ｂａｓｅ用デコーダ２０２は、基本映像符号化データをデコードし基本映像信号を出力する。ｅｘｔ用デコーダ２０３は、拡張映像符号化データをデコードし、デコードした信号とｂａｓｅ用デコーダ２０２から出力された基本映像信号とから拡張映像信号を生成し、生成した拡張映像信号を出力する。また、ｂａｓｅ用デコーダ２０２は、基本映像符号化データに含まれる左右識別フラグを検出する。左右識別フラグは、基本映像信号および拡張映像信号が、左目用映像に関する信号であるか右目用映像に関する信号であるかを対応付けるための情報を含む。ｂａｓｅ用画質調整部２０４は、設定値記憶部２０６に記憶された画質調整パラメータにしたがって、基本映像信号が示す映像の画質調整を行う。ｅｘｔ用画質調整部２０５は、拡張映像信号が示す映像の画質調整を行う。設定値記憶部２０６は、基本映像の画質調整を行う際の画質調整パラメータ、拡張映像の画質調整を行う際の画質調整パラメータ、２次元映像の画質調整を行う際の画質調整パラメータを記憶している。左右選択部２０７は、ｂａｓｅ用デコーダ２０２で検出した左右識別フラグに基づいて、基本映像信号を、左目用映像および右目用映像の一方に関する信号として対応づけ、拡張映像信号を、左目用映像および右目用映像の他方に関する信号として対応づける。例えば、左右選択部２０７は、左右識別フラグに基づいて、基本映像信号を左目用映像に、拡張映像信号を右目用映像に対応付ける。左右選択部２０７は、対応付けた基本映像信号及び拡張映像信号を、左目用映像信号または右目用映像信号として出力する。ＣＰＵ２０８は、リモコン信号受信部１０４で受信したリモコンからのコマンドを処理し、信号処理部１０３を構成する各構成要素を制御する。
【００１７】
信号処理部１０３において、２次元映像信号を再生するときは、立体映像の拡張映像信号がない場合と同様の動作が行われる。すなわち、２次元映像信号に対しては、ｂａｓｅ用デコーダ２０２でデコード処理がなされ、ｂａｓｅ用画質調整部２０４にて画質調整処理がなされる。
【００１８】
図３はｂａｓｅ用画質調整部２０４の構成例を示すブロック図である。ｂａｓｅ用画質調整部２０４は、画像（フレーム）内に発生した平面的ノイズを除去する２次元ノイズ除去部３００と、画像（フレーム）間に発生した時間的ノイズを除去する３次元ノイズ除去部３１０とを備える。ｅｘｔ用画質調整部２０５も、ｂａｓｅ用画質調整部２０４と同じ構成を有する。ｂａｓｅ用画質調整部２０４とｅｘｔ用画質調整部２０５における各構成要素の設定パラメータ（係数ｋ１、ｋ２、ｋ３、ｍ）はそれぞれ独立して設定可能とされている。
【００１９】
２次元ノイズ除去部３００は、乗算器３０１、乗算器３０２、乗算器３０３、加算器３０４、加算器３０５、画素メモリ３０６、及び画素メモリ３０７を含む２タップのＦＩＲフィルタである。
【００２０】
２次元ノイズ除去部３００は、ｂａｓｅ用デコーダ２０２から入力された連続する３画素についての画素値のうち、最初と最後の画素の画素値に対して乗算器３０１、乗算器３０３により係数ｋ１を乗算し、中間の画素の画素値に乗算器３０２により係数ｋ２を乗算し、これらの係数ｋ１、ｋ２が積算された画素値を合算することで平面的ノイズを除去する。このようなノイズ除去方法は、画像内に発生した平面的ノイズを除去するための一般的な手法である。係数ｋ１、ｋ２の値はノイズ除去処理の強度を表す。すなわち、ｋ２の値がｋ１に比して大きいほど、付与されるノイズ除去処理の強度が小さく、ｋ１とｋ２の値の比が１に近いほど、付与されるノイズ除去処理の強度が大きいことを意味する。乗算器３０１、乗算器３０２、乗算器３０３の係数ｋ１、ｋ２の値は設定値記憶部２０６に記憶されている。表１にノイズ除去強度と係数ｋ１、ｋ２の値の一例を示す。
【００２１】
【表１】
2011199853.tif 000003
【００２２】
３次元ノイズ除去部３１０は、減算器３１１、減算器３１２、動き判定部３１３、乗算器３１４、切替器３１５、及びフレームメモリ３１６を含み、動き適応型の時間軸方向のノイズ除去処理を行う。
【００２３】
３次元ノイズ除去部３１０は、画像内の動きのない領域に対してのみ、３次元ノイズ除去処理を実施する。３次元ノイズ除去部３１０は、今回入力したフレームの画素の画素値と、その１つ前のフレームの画素の画素値との差分を計算し、その差分に対して乗算器３１４により係数ｋ３を乗算する。上記１つ前のフレームの画素の画素値は、フレームメモリ３１６により与えられる。そして、３次元ノイズ除去部３１０は、係数ｋ３が乗じられた差分の値を、入力した画素の画素値から減算することで、ノイズ除去を実施する。係数ｋ３の値は設定値記憶部２０６により与えられる。以上のようなノイズ除去方法は、画像内に発生した時間的ノイズを除去するための一般的な手法である。
【００２４】
３次元ノイズ除去部３１０の動き判定部３１３は、動きが大きい画像に対してノイズ除去を行わないように、画像の動きの量を判定する。具体的には、動き判定部３１３は、フレーム間において同一の画素の画素値の差分を算出してこの差分と閾値ｍを比較し、その差分が閾値ｍ以下のときは、動きが小さいと判断し、その画素に対してノイズ除去を行うように切替器３１５をオンする。これに対し、その差分が閾値ｍより大きいときは、動き判定部３１３は、動きが大きいと判断し、その画素に対してはノイズ除去を行わないように切替器３１５をオフする。このような構成によれば、閾値ｍの値を大きくすると、画像の動きが大きいと判断される頻度が少なくなり、ノイズ除去処理がより多くなされ、強いノイズ除去効果が得られる。
【００２５】
表２に３次元ノイズ除去部３１０のノイズ除去強度と係数ｋ３、ｍの値の一例を示す。なお、画素レベルは２５６階調としている。
【００２６】
【表２】
2011199853.tif 000004
【００２７】
設定値記憶部２０６は、２次元ノイズ除去部３００、３次元ノイズ除去部３１０でノイズ除去処理を行う際に用いる上記各係数ｋ１、ｋ２、ｋ３、ｍの値を規定するテーブルを記憶している。テーブルとしては、ｂａｓｅ用設定テーブル２０６ａ、ｅｘｔ用設定テーブル２０６ｂ、２Ｄ用設定テーブル２０６ｃの３種類のテーブルが用意されている。ｂａｓｅ用設定テーブル２０６ａは、ｂａｓｅ用画質調整部２０４で立体映像の基本映像に対する画質調整処理を行うときに用いる各係数ｋ１、ｋ２、ｋ３、ｍの値を規定している。ｅｘｔ用設定テーブル２０６ｂは、ｅｘｔ用画質調整部２０５で立体映像の拡張映像に対する画質調整処理を行うときに用いる各係数ｋ１、ｋ２、ｋ３、ｍの値を規定している。２Ｄ用設定テーブル２０６ｃは、ｂａｓｅ用画質調整部２０５で２次元映像に対する画質調整処理を行うときに用いる各係数ｋ１、ｋ２、ｋ３、ｍの値を規定している。表３に各テーブルに規定された各係数ｋ１、ｋ２、ｋ３、ｍの値の一例を示す。
【００２８】
【表３】
2011199853.tif 000005
【００２９】
このように、本実施の形態では、立体映像信号の基本映像信号が示す基本映像と拡張映像信号が示す拡張映像とを独立に画質調整することにより、左目用映像の画質と右目用映像の画質を揃えることができ、高品位な立体映像を得ることができる。
【００３０】
立体映像信号を再生する際は、ディスクドライブ部１０２においてディスク１０１から読み取られたデータがデマルチプレクサ２０１にて基本映像符号化データと拡張映像符号化データとに分離され、それぞれｂａｓｅ用デコーダ２０２、ｅｘｔ用デコーダ２０３でデコード処理がなされる。ｂａｓｅ用デコーダ２０２から出力された基本映像信号はｂａｓｅ用画質調整部２０４で、ｅｘｔ用デコーダ２０３から出力された拡張映像信号はｅｘｔ用画質調整部２０５でそれぞれ画質に関する調整がなされる。基本映像信号が示す映像の画質調整処理は設定値記憶部２０６のｂａｓｅ用設定テーブル２０６ａに規定されている基本映像用の画質調整パラメータに基づいてなされ、拡張映像信号が示す映像の画質調整処理は設定値記憶部２０６のｅｘｔ用設定テーブル２０６ｂに規定されている拡張映像用の画質調整パラメータに基づいてなされる。ここで、本実施の形態では、基本映像信号に対してはノイズ除去強度を「弱」に設定し、拡張映像信号に対してはノイズ除去強度を「中」に設定している。つまり、拡張映像信号のノイズ除去強度を基本映像信号のノイズ除去強度より強くしている。また、通常の２次元映像信号を再生する際は、立体映像の基本映像信号同様にノイズ除去強度を「弱」に設定している。すなわち、基本映像符号化データをデコードした映像信号が示す映像の画質の調整をする場合の画質調整と、２次元映像信号が示す映像の画質の調整をする場合の画質調整とは、同一の画質調整である。
【００３１】
上記のように基本映像信号に対するノイズ除去強度を拡張映像信号に対するノイズ除去強度よりも強くしている理由について説明する。一般にＭＰＥＧ４−ＭＶＣ符号化による基本映像は拡張映像よりもノイズが少なく高画質である傾向にある。これは以下のような理由による。すなわち、拡張映像信号は基本映像信号を元に予測符号化されることにより生成されるが、拡張映像信号の圧縮符号化による歪みは基本映像信号よりも大きくなる傾向にある。すなわち、拡張映像信号の方が基本映像信号よりもノイズが多くなる。このように左目用映像と右目用映像との間に画質の差があると、立体視の妨げになることがある。そこで、本実施の形態では、ｂａｓｅ用画質調整部２０４及びｅｘｔ用画質調整部２０５は、左目用映像信号が示す映像の画質と右目用映像信号が示す映像の画質とが同じになるように画質の調整を行う。具体的には、基本映像信号に対するノイズ除去強度を拡張映像信号に対するノイズ除去強度よりも強くしている。このような構成により、圧縮符号化による歪みの量等を左目用映像と右目用映像とにおいてバランスをとることができ、高品位な立体映像を再生することができる。
【００３２】
なお、本実施形態では、信号処理部１０３は、特定の周波数帯域を強調するようなシャープネス手段を、上記のようにノイズ除去が可能なｂａｓｅ用画質調整部２０４及びｅｘｔ用画質調整部２０５とともに備えてもよい。この場合、拡張映像信号のノイズ除去強度を強くするとともに、シャープネス処理を強くする。シャープネス処理を強くするのは、ノイズ除去強度を強くすると映像の高域成分が減少してボケた映像になる傾向があるので、これを防止するためであり、上記のようにシャープネス処理を強く行うことで、基本映像と拡張映像、すなわち左目用映像と右目用映像（以下適宜「左右の映像」という）との画質のバランスをとることができる。
【００３３】
なお、画質調整機能としてノイズ除去を例としてあげたが、これに限定されるものでなく、明るさ、コントラスト、色の濃さ、色合い、シャープネスの調整など画質を調整するものであれば構わない。
【００３４】
例えば、シャープネスの調整を行ってもよい。具体的には、拡張映像信号は基本映像信号からの予測により生成されるため、圧縮符号化歪みにより、映像の高域成分が減少してボケた映像になる傾向がある。したがって、拡張映像信号に対するシャープネスを基本映像信号に対するシャープネスよりも強くかけることで、左右の画質バランスをとることができる。なお、逆に基本映像信号の高域成分を減少させて、拡張映像信号の帯域と合わせることで基本映像と拡張映像（左右の映像）の画質バランスをとってもよい。
【００３５】
また、基本映像及び拡張映像の平均輝度レベルを検出し、検出した平均輝度レベルが同一になるように基本映像及び拡張映像の明るさの調整を行い、基本映像及び拡張映像（左右の映像）の画質バランスをとってもよい。
【００３６】
また、基本映像及び拡張映像の輝度レベル分布を測定し、輝度レベル分布が同一になるように基本映像及び拡張映像の明るさおよびコントラストの調整を行い、基本映像及び拡張映像（左右の映像）の画質バランスをとってもよい。
【００３７】
また、基本映像及び拡張映像のクロマレベルを検出し、検出したクロマレベルが同一になるように、色の濃さ、色合いの調整を行い、基本映像及び拡張映像（左右の映像）の画質バランスをとってもよい。
【００３８】
これらの画質調整は、検出した輝度レベル、クロマレベルをフィードバック制御して調整することで、基本映像及び拡張映像の画質差をなくし、基本映像及び拡張映像（左右の映像）の画質バランスをとることができる。
【００３９】
さらに、基本映像信号及び拡張映像信号が示す映像の画質をユーザー設定によって独立に調整できるようにしてもよい。例えば、リモコン信号受信部１０４で受信した信号に基づくユーザー設定値をＣＰＵ２０８で処理し、設定値記憶部２０６に記憶している設定パラメータを変更する。これにより、基本映像信号及び拡張映像信号が示す映像の画質をユーザーが自由に設定でき、ユーザーの好みに合わせて基本映像及び拡張映像（左右の映像）の画質調整を行うことができる。
【００４０】
また、立体映像の基本映像信号に対する画質調整の設定と２次元映像信号を再生する際の画質調整の設定とを同じにしておく。こうすることで、２次元映像信号が記録された記録メディアを再生する際の画質と、立体映像信号が記録された記録メディアを再生する際の画質とを同一にすることができ、再生する映像の種類の違いによる画質差を抑えることができる。
【００４１】
なお、上述の実施の形態１では、再生する映像がＭＰＥＧ４−ＭＶＣ符号化方式で圧縮符号化された映像である例を示したが、ＭＰＥＧ４−ＭＶＣ符号化方式で圧縮符号化された映像に限らず、左目用映像データと右目用映像データとを含む立体映像に広く適用可能である。
【００４２】
なお、ディスク１０１に記録されている立体映像の方式としては、ＭＰＥＧ４−ＭＶＣ符号化方式以外に、サイドバイサイド方式やトップアンドボトム方式等もある。ディスク１０１に記録されている立体映像の方式が、サイドバイサイド方式やトップアンドボトム方式であるか、ＭＰＥＧ４−ＭＶＣ符号化方式の映像であるかは、映像信号の情報やデコード情報を見ることによりわかる。本実施形態においては、デマルチプレクサ２０１において、映像信号の情報やデコード情報を見ることにより、上記いずれの方式であるかを判別するようにしてもよい。ここで、ディスク１０１に記録されている立体映像の方式がサイドバイサイド方式やトップアンドボトム方式等、一画面に左目用映像と右目用映像の両方が記録されている映像方式である場合、ディスクに記録されている左目用映像と右目用映像の画質は一般に同じになっている（予め同じとなるように調整されている）。この場合、左目用映像と右目用映像に対する画質の調整は同じ調整とすればよい。具体的には、デマルチプレクサ２０１において、ディスク１０１に記録されている立体映像の方式がサイドバイサイド方式やトップアンドボトム方式であると認識された場合、左目用及び右目用の映像データの両方について、ｂａｓｅ用デコーダ２０２でデコード処理を行い、ｂａｓｅ用画質調整部２０４で設定値記憶部２０６に記録されたパラメータにしたがって画質調整処理を行うようにすればよい。
【００４３】
また、上述の実施の形態１の再生装置は、記録メディアに記録された立体映像信号を再生する例を示したが、これに限らず、放送など伝送路を介して受信した立体映像信号を再生する場合にも適用できる。
【００４４】
なお、上述の実施の形態１の再生装置１００は、基本映像符号化データをデコードするｂａｓｅ用デコーダ２０２と、拡張映像符号化データをデコードするｅｘｔ用デコーダ２０３とを分離して備えている。しかし、このｂａｓｅ用デコーダ２０２とｅｘｔ用デコーダ２０３は、実装上の構成としては、必ずしも分離している必要は無い。つまり、実装上の構成としては、ｂａｓｅ用デコーダ２０２とｅｘｔ用デコーダ２０３に代えて、基本映像符号化データ及び拡張映像符号化データの両方についてデコードして出力するデコーダとしてもよい。
【００４５】
また、上述の実施の形態１の再生装置１００は、ｂａｓｅ用画質調整部２０４とｅｘｔ用画質調整部２０５とを備えている。このｂａｓｅ用画質調整部２０４とｅｘｔ用画質調整部２０５は、実装上の構成としては、必ずしも分離している必要は無い。つまり、実装上の構成としては、ｂａｓｅ用画質調整部２０４及びｅｘｔ用画質調整部２０５に代えて、基本映像信号が示す映像と拡張映像信号が示す映像の両方について画質調整を行う非分離の手段であっても良い。
【００４６】
また、上述の実施の形態１の再生装置１００は、左右識別フラグを基本映像符号化データに含みｂａｓｅ用デコーダ２０２で検出するとしたが、拡張映像符号化データに左右識別フラグを含んでも良い。この場合、左右識別フラグはｅｘｔ用デコーダ２０３で検出される。また、左右選択部２０７はｅｘｔ用デコーダ２０３から左右識別フラグを受け取る。なお、基本映像符号化データと拡張映像符号化データの両方に左右識別フラグを含んでもよい。
【００４７】
また、上述の実施の形態１の再生装置１００は、基本映像符号化データが左目用映像データであり、拡張映像符号化データが右目用映像データであるとしたが、基本映像符号化データが右目用映像データであり、拡張映像符号化データが左目用映像データであっても良い。
【００４８】
また、上述の実施の形態１では映像出力部はＨＤＭＩフォーマットにしたがいデータを出力したが、他のフォーマットにしたがってデータを出力しても良い。すなわち、立体映像を出力可能なフォーマットであればどのようなフォーマットであっても良い。
【００４９】
なお、ＭＰＥＧ４−ＭＶＣ符号化方式の場合に、左目用映像と右目用映像とに画質の差があるかどうかは、符号化パラメータにより認識できる。また、映像上のノイズの多少や映像がぼけ気味かどうかはデコーダからの情報、例えば符号化パラメータや符号量により認識できる。そのため、これらを検出してノイズ除去強度等を切り換えてもよい。
【産業上の利用可能性】
【００５０】
本発明にかかる再生装置は、左右の画質差の少ない立体映像を再生することを可能にするので、立体映像を記録した記録メディアの再生装置、あるいは、ネットワークを介して転送される立体映像のストリームデータを再生する再生装置等の用途にも適用できる。
【符号の説明】
【００５１】
１００    再生装置
１０１    ディスク
１０２    ディスクドライブ部
１０３    信号処理部
１０４    リモコン信号受信部
１０５    ＨＤＭＩ出力部
２０１    デマルチプレクサ
２０２    ｂａｓｅ用デコーダ
２０３    ｅｘｔ用デコーダ
２０４    ｂａｓｅ用画質調整部
２０５    ｅｘｔ用画質調整部
２０６    設定値記憶部
２０７    左右選択部
２０８    ＣＰＵ
３００    ２次元ノイズ除去部
３０１    乗算器
３０２    乗算器
３０３    乗算器
３０４    加算器
３０５    加算器
３０６    画素メモリ
３０７    画素メモリ
３１０    ３次元ノイズ除去部
３１１    減算器
３１２    減算器
３１３    動き判定部
３１４    乗算器
３１５    切替器
３１６    フレームメモリ
【図１】
2011199853.tif 000006
【図２】
2011199853.tif 000007
【図３】
2011199853.tif 000008